(57)【要約】【課題】  乾燥装置の性能を向上するとともに、乾燥装置を容易に修理できるドラム洗濯機を提供する。【解決手段】  水を収容する水槽１１と、前記水槽１１の内部に回転自在に配置される回転槽１２と、前記回転槽１２内部の空気を流動させて加熱し、前記回転槽１２に投入された洗濯物を乾燥する乾燥装置２０と、を含み、前記乾燥装置２０は、吸入力および送風力を発生して空気を流動させる送風ファン２１と、前記送風ファン２１によって流動する空気を加熱して熱風を発生するヒータ２３と、相互結合された上下部の間に前記送風ファン２１および前記ヒータ２３が設置され、空気が流動する内部流路１５を形成する上部ケース２４および下部ケース２５と、を含み、前記上部ケース２４は、前記送風ファン２１を外部に露出するための第１蓋２４Ａと、前記ヒータ２３を外部に露出するための第２蓋２４Ｂと、を含んでドラム洗濯機を構成する。【選択図】  図１
2006021028.tif 000002
【特許請求の範囲】
【請求項１】
水を収容する水槽と、前記水槽の内部に回転自在に配置される回転槽と、前記回転槽内の空気を流動させて加熱し、前記回転槽に投入された洗濯物を乾燥する乾燥装置と、を含み、前記乾燥装置は、吸入力および送風力を発生して空気を流動させる送風ファンと、前記送風ファンによって流動する空気を加熱して熱風を発生するヒータと、相互結合された上下部の間に前記送風ファンおよび前記ヒータが設置され、空気が流動する内部流路を形成する上部ケースおよび下部ケースと、を含み、前記上部ケースは、前記送風ファンを外部に露出するための第１蓋と、前記ヒータを外部に露出するための第２蓋と、を含むことを特徴とするドラム洗濯機。
【請求項２】
前記上部ケースおよび前記下部ケースは、断熱能力を有する断熱部材により形成されることを特徴とする請求項１記載のドラム洗濯機。
【請求項３】
前記乾燥装置は、内部流路を通過する空気の加熱面積を増加するための熱分散板をさらに含むことを特徴とする請求項１記載のドラム洗濯機。
【請求項４】
前記熱分散板は、前記ヒータの上側および下側にそれぞれ配置され、前記上部ケースおよび前記下部ケースの内面にそれぞれ対応して形成された上部熱分散板および下部熱分散板を含むことを特徴とする請求項３記載のドラム洗濯機。
【請求項５】
前記上部ケースおよび前記下部ケースの内面は、熱による損傷を低減するためにセラミックによりコーティングされることを特徴とする請求項１記載のドラム洗濯機。
【請求項６】
前記熱分散板は、熱伝導率の高い金属または金属合金により形成されることを特徴とする請求項４記載のドラム洗濯機。
【請求項７】
水を収容する水槽と、前記水槽の内部に回転自在に配置される回転槽と、前記回転槽内の空気を流動させて加熱し、前記回転槽に投入された洗濯物を乾燥する乾燥装置と、を含み、前記乾燥装置は、相互結合された上下部の間に空気が流動する内部流路を形成し、断熱能力を有する断熱部材により形成された上部ケースおよび下部ケースを含むことを特徴とするドラム洗濯機。
【請求項８】
前記乾燥装置は、前記上部ケースと前記下部ケースとの間に吸入力および送風力を発生して空気を流動させる送風ファンと、前記送風ファンによって流動する空気を加熱して熱風を発生するヒータと、を含み、前記上部ケースは、前記送風ファンを外部に露出するための第１蓋と、前記ヒータを外部に露出するための第２蓋と、を含むことを特徴とする請求項７記載のドラム洗濯機。
【請求項９】
前記乾燥装置には、内部流路を通過する空気の加熱面積を増加するための熱分散板が設けられることを特徴とする請求項８記載のドラム洗濯機。
【請求項１０】
前記熱分散板は、前記ヒータの上側および下側にそれぞれ配置され、前記上部ケースおよび前記下部ケースの内面にそれぞれ対応して形成された上部熱分散板および下部熱分散板を含むことを特徴とする請求項９記載のドラム洗濯機。
【請求項１１】
前記上部ケースおよび前記下部ケースの内面は、熱による損傷を低減するためにセラミックによりコーティングされることを特徴とする請求項７記載のドラム洗濯機。
【請求項１２】
前記熱分散板は、熱伝導率の高い金属または金属合金により形成されることを特徴とする請求項９記載のドラム洗濯機。
【請求項１３】
乾燥装置に空気を流動させる送風ファンと、前記送風ファンによって流動する空気を加熱するヒータと、相互結合された上下部の間に前記送風ファンおよび前記ヒータが設置され、空気が流動する内部流路を形成する上部ケースおよび下部ケースと、を含み、前記上部ケースは、前記送風ファンを外部に露出するための第１蓋と、前記ヒータを外部に露出するための第２蓋と、を含むことを特徴とする乾燥装置。
【請求項１４】
前記乾燥装置には、内部流路を通過する空気の加熱面積を増加するための熱分散板が設けられることを特徴とする請求項１３記載の乾燥装置。
【請求項１５】
前記熱分散板は、前記ヒータの上側および下側にそれぞれ配置され、前記上部ケースおよび前記下部ケースの内面にそれぞれ対応して形成された上部熱分散板および下部熱分散板を含むことを特徴とする請求項１４記載の乾燥装置。
【請求項１６】
前記上部ケースおよび前記下部ケースの内面は、熱による損傷を低減するためにセラミックによりコーティングされることを特徴とする請求項１３記載の乾燥装置。
【請求項１７】
前記上部ケースおよび前記下部ケースは、断熱能力を有する断熱部材により形成されることを特徴とする請求項１３記載の乾燥装置。
【請求項１８】
前記熱分散板は、熱伝導率の高い金属または金属合金により形成されることを特徴とする請求項１４記載の乾燥装置。
【発明の詳細な説明】
【技術分野】
【０００１】
本発明は、ドラム洗濯機に関するもので、詳しくは、洗濯物を乾燥するための乾燥装置を備えたドラム洗濯機及び該乾燥装置に関するものである。
【背景技術】
【０００２】
一般に、ドラム洗濯機は、洗濯物を上側に引き上げた後で落下させ、その落下力によって洗濯を行う装置であって、外観をなすハウジングの内部に水を収容するために設けられた水槽と、この水槽内に回転自在に設置され、回転力を発生する駆動モータから回転力を受けて回転する回転槽と、を含んでいる。
【０００３】
したがって、回転槽が水槽内で回転すると、洗濯物が洗濯水と一緒に回転槽の内周面に沿って上向きに引き上げられた後で落下することで、洗濯物の洗濯が行われる。
【０００４】
また、ドラム洗濯機には、洗濯が終了された洗濯物を乾燥するための乾燥装置が設置される。この乾燥装置は、その両端が回転槽に連通されるため、回転槽から空気を吸入し、この空気を加熱した後、この加熱された空気を回転槽に供給することで、洗濯物の乾燥が行われる。
【０００５】
乾燥装置は、回転して吸入力および送風力を発生し、空気を乾燥装置内に流動させる送風ファンと、乾燥装置の内部を通過する空気を加熱して熱風を発生するヒータと、相互結合された上下部の間に送風ファンおよびヒータが設置され、空気が貫通して流れる内部流路を形成する上部ケースおよび下部ケースと、を含んでいる。
【０００６】
しかしながら、従来のドラム洗濯機は、長期間使用することにより、送風ファンやヒータのうちいずれか一つの修理が必要になる場合、上部ケースおよび下部ケースを完全に分解する必要があり、送風ファンおよびヒータを個別的に修理できないため、乾燥装置の修理が煩雑になるという問題点があった。
【発明の開示】
【発明が解決しようとする課題】
【０００７】
本発明は、上記のような問題点を解決するためになされたもので、乾燥性能を向上できるドラム洗濯機及び乾燥装置を提供することを目的とする。
【０００８】
また、乾燥装置を容易に修理できるドラム洗濯機及び該乾燥装置を提供することを目的とする。
【課題を解決するための手段】
【０００９】
前記目的を達成するために、本発明によるドラム洗濯機は、水を収容する水槽と、前記水槽の内部に回転自在に配置される回転槽と、前記回転槽内部の空気を流動させて加熱し、前記回転槽に投入された洗濯物を乾燥する乾燥装置と、を含み、前記乾燥装置は、吸入力および送風力を発生して空気を流動させる送風ファンと、前記送風ファンによって流動する空気を加熱して熱風を発生するヒータと、相互結合された上下部の間に前記送風ファンおよび前記ヒータが設置され、空気が流動する内部流路を形成する上部ケースおよび下部ケースと、を含み、前記上部ケースは、前記送風ファンを外部に露出するための第１蓋と、前記ヒータを外部に露出するための第２蓋と、を含むことを特徴とする。
【００１０】
また、前記上部ケースおよび前記下部ケースは、断熱能力を有する断熱部材により形成されることを特徴とする。
【００１１】
また、前記乾燥装置は、内部流路を通過する空気の加熱面積を増加するための熱分散板をさらに含むことを特徴とする。
【００１２】
また、前記熱分散板は、前記ヒータの上側および下側にそれぞれ配置され、前記上部ケースおよび前記下部ケースの内面にそれぞれ対応して形成された上部熱分散板および下部熱分散板を含むことを特徴とする。
【００１３】
また、前記上部ケースおよび前記下部ケースの内面は、熱による損傷を低減するためにセラミックによりコーティングされることを特徴とする。
【００１４】
また、本発明によるドラム洗濯機は、水を収容する水槽と、前記水槽の内部に回転自在に配置される回転槽と、前記回転槽内部の空気を流動させて加熱し、前記回転槽に投入された洗濯物を乾燥する乾燥装置と、を含み、前記乾燥装置は、相互結合された上下部の間に空気が流動する内部流路を形成し、断熱能力を有する断熱部材により形成された上部ケースおよび下部ケースを含むことを特徴とする。
【００１５】
また、前記乾燥装置は、前記上部ケースと前記下部ケースとの間に吸入力および送風力を発生して空気を流動させる送風ファンと、前記送風ファンによって流動する空気を加熱して熱風を発生するヒータと、を含み、前記上部ケースは、前記送風ファンを外部に露出するための第１蓋と、前記ヒータを外部に露出するための第２蓋と、を含むことを特徴とする。
【発明の効果】
【００１６】
本発明によるドラム洗濯機及び乾燥装置は、送風ファンおよびヒータが設置される下部ケース上に、送風ファンおよびヒータを個別的にハウジングの外部に露出する第１蓋および第２蓋が備わるので、装置の修理が容易になるという効果がある。
【００１７】
また、乾燥装置の上部ケースおよび下部ケースが断熱能力を有する断熱部材により形成されることで、乾燥装置のハウジングの外部に漏洩される熱を低減するとともに、ヒータから発生したほとんどの熱を空気の加熱に用いるようになり、洗濯物が一層効率的に乾燥できるという効果がある。
【発明を実施するための最良の形態】
【００１８】
以下、本発明の実施の形態を図面に基づいて説明する。
【００１９】
本発明によるドラム洗濯機は、図１に示すように、外観をなすボックス状のハウジング１０と、このハウジング１０の内部に水を収容するために設けられた水槽１１と、この水槽１１の内部に回転自在に設置され、その表面に水および空気を通過するための連通孔１２ａが形成されたドラム状の回転槽１２と、洗濯物の洗濯および脱水を行うために回転槽１２を回転する駆動モータ１３と、を備えている。
【００２０】
水槽１１および回転槽１２の前面には、回転槽１２の内部に洗濯物を投入するか、回転槽１２に投入された洗濯物を取り出すための開放部が備わり、ハウジング１０の前面には、水槽１１および回転槽１２の開放部を開閉するためのドア１４がヒンジ結合されている。また、回転槽１２の内周面には、リフター１２ｂが所定間隔を有して配置されるので、回転槽１２が回転すると、洗濯物がリフター１２ｂにより回転槽１２の上部に引き上げられた後で落下することで、洗濯物の洗濯が行われる。
【００２１】
また、水槽１１の上部には、熱風を発生し、洗濯を終えた洗濯物を乾燥する乾燥装置２０が設置される。この乾燥装置２０は、その両端が水槽１１の前端および後端にそれぞれ連通されるとともに、内部流路１５を有するので、水槽１１および回転槽１２内の空気は、乾燥装置２０の内部流路１５を通過して加熱され、高温の熱風になった後、再び水槽１１および回転槽１２に供給されることで、回転槽１２内における洗濯物の乾燥が行われる。
【００２２】
したがって、洗濯の終了後、回転槽１２を低速回転するとともに、本発明による乾燥装置２０を作動すると、水槽１１および回転槽１２内の空気が乾燥装置２０を通過して熱風に転換されることで、洗濯物の乾燥が行われる。
【００２３】
乾燥装置２０は、図２に示すように、吸入力および送風力を発生し、水槽１１および回転槽１２内の空気を乾燥装置２０の内部流路１５に循環させる送風ファン２１と、この送風ファン２１を回転するためのファンモータ２２と、送風ファン２１によって流動する空気を加熱して熱風を発生するヒータ２３と、相互結合された上下部の間に送風ファン２１およびヒータ２３が設置され、乾燥装置２０の内部流路１５を形成する上部ケース２４（２４Ａ，２４Ｂ）および下部ケース２５と、を含んでいる。
【００２４】
下部ケース２５には、送風ファン２１が収容されるファン収容部２５ａと、ヒータ２３が設置されるヒータ収容部２５ｂと、がそれぞれ設けられる。ファン収容部２５ａは、遠心ファンからなる送風ファン２１を収容するために円状に形成され、その中央側には、水槽１１および回転槽１２側から空気を吸入するための吸入口２５ｃが設けられる。また、ヒータ収容部２５ｂの端には、ヒータ２３から吐出された空気を通過させることで、ヒータ２３によって加熱された空気を水槽１１および回転槽１２に供給する吐出口２５ｄが設けられる。
【００２５】
上部ケース２４は、送風ファン２１やヒータ２３のうちいずれか一つの修理が必要になる場合、乾燥装置２０全体を分解することなく、送風ファン２１およびヒータ２３のうちいずれか一つのみを露出させて修理を行うために、ファン収容部２５ａに設置されてファン収容部２５ａを開閉する第１蓋２４Ａと、ヒータ収容部２５ｂに設置されてヒータ収容部２５ｂを開閉する第２蓋２４Ｂと、に分割されている。このとき、これら第１蓋２４Ａおよび第２蓋２４Ｂは、スクリューなどの締結部材により下部ケース２５にそれぞれ固定されるので、必要に応じてスクリューを解除することで、下部ケース２５から個別的に分離することができる。
【００２６】
第１蓋２４Ａの中央部には、送風ファン２１の回転軸が貫通して上側に突出設置されており、第１蓋２４Ａの一の側には、ファンモータ２２を設置するためのモータ設置部２１ａが一体に延長形成される。また、ファンモータ２２の回転軸および送風ファン２１の回転軸に駆動プーリ２２ａおよび従動プーリ２２ｂがそれぞれ設置されるため、ファンモータ２２から発生した回転力は、ベルト２２ｃを通して送風ファン２１に伝達される。
【００２７】
また、本発明によるドラム洗濯機において、乾燥装置２０は、ヒータ２３から発生した熱がハウジングの外部に漏洩されることを低減するために断熱能力を有する断熱部材により形成されるので、ヒータ２３から発生したほとんどの熱は、乾燥装置２０の内部流路１５を通過する空気を加熱するのに用いられる。本実施形態において、上部ケース２４および下部ケース２５は、金属材質よりも相対的に熱伝導率の低い樹脂材を射出成形して製造される。
【００２８】
また、乾燥装置２０内には、ヒータ２３から発生した熱を受けて分散させることで、乾燥装置２０の内部流路１５を通過する空気の加熱面積を増加させ、空気の加熱を一層効率的に行うための熱分散板２６，２７が備えられている。
【００２９】
熱分散板２６，２７は、ヒータ２３から受けた熱を容易に分散するために高い熱伝導率を有する金属材質により形成される。また、熱分散板２６，２７は、所定の面積を有する板状に形成され、ヒータ２３の上下面および側面を覆うように配置される。これら熱分散板２６，２７は、上部ケース２４の下面および内側面に対応して形成された上部熱分散板２６と、下部ケース２５の上面および内側面に対応して形成された下部熱分散板２７と、から構成される。
【００３０】
したがって、ヒータ２３から発生した熱が熱分散板２６，２７に伝達されると、熱伝導率の高い金属材質からなる熱分散板２６，２７により熱伝逹が短時間内に行われ、熱分散板２６，２７の全体温度が上昇する。その結果、乾燥装置２０の内部流路１５を通過する空気は、温度の上昇された熱分散板２６，２７に接触して加熱されるので、ヒータ２３から発生した熱により空気を一層効率的に加熱することができる。
【００３１】
また、上部ケース２４Ａ，２４Ｂおよび下部ケース２５の内面は、セラミックによりコーティングされるので、上部ケース２４Ａ，２４Ｂおよび下部ケース２５の内面が熱風にさらされても、通過する熱風により発生する損傷を低減することができる。
【図面の簡単な説明】
【００３２】
【図１】本発明によるドラム洗濯機の構成を示した側断面図である。
【図２】本発明によるドラム洗濯機の乾燥装置の構成を示した分解斜視図である。
【符号の説明】
【００３３】
１０  ハウジング
１１  水槽
１２  回転槽
１２ａ  連通孔
１２ｂ  リフター
１３  駆動モータ
１４  ドア
１５  内部流路
２０  乾燥装置
２１  送風ファン
２１ａ  モータ設置部
２２  ファンモータ
２２ａ  駆動プーリ
２２ｂ  従動プーリ
２２ｃ  ベルト
２３  ヒータ
２４  上部ケース
２４Ａ  第１蓋
２４Ｂ  第２蓋
２５  下部ケース
２５ａ  ファン収容部
２５ｂ  ヒータ収容部
２５ｃ  吸入口
２５ｄ  吐出口
２６、２７  熱分散板
【図１】
2006021028.tif 000003
【図２】
2006021028.tif 000004